(57)【要約】【課題】ユーザが設定した表示終了時刻などの表示条件に合わせて複数の画像を順次表示する画像表示装置、画像表示方法および画像表示プログラムを提供すること。【解決手段】本発明にかかる画像表示装置４は、画像表示に対する表示条件のうち表示レートおよび同時表示枚数を設定した設定情報をもとに表示終了時刻を提示する表示条件提示部５１と、表示部３０に対して表示条件提示部５１が提示した表示終了時刻を表示させ、設定情報において設定された表示レート、同時表示枚数、および表示条件提示部５１が提示した表示終了時刻にしたがって表示部３０に対して画像を表示させる表示制御部５２とを備える。【選択図】      図２
2006055430.tif 000002
【特許請求の範囲】
【請求項１】
格納された複数の画像を順次表示する表示手段を備えた画像表示装置において、
前記複数の画像に対する表示条件のうち少なくとも一つの表示条件を設定する設定手段と、
前記設定手段が設定した表示条件をもとに少なくとも一つの他の表示条件を提示する表示条件提示手段と、
前記表示手段に、前記表示条件提示手段が提示した前記表示条件を表示させるとともに、前記表示条件提示手段が提示した前記表示条件をもとに前記複数の画像を表示させる制御手段と、
を備えたことを特徴とする画像表示装置。
【請求項２】
前記表示条件提示手段は、前記設定手段が設定した表示条件以外の他の表示条件を提示し、または、前記設定手段が設定した表示条件以外の他の複数の表示条件の組み合わせを提示することを特徴とする請求項１に記載の画像表示装置。
【請求項３】
前記表示条件提示手段が提示した前記他の表示条件の中から所望の表示条件を選択し、または、前記表示条件提示手段が提示した前記他の複数の表示条件の組み合わせの中から所望の組み合わせを選択する選択手段をさらに備え、
前記制御手段は、前記設定手段が設定した前記表示条件と、前記選択手段が選択した表示条件または前記選択手段が選択した組み合わせとにしたがって、前記表示手段に前記複数の画像を表示させることを特徴とする請求項２に記載の画像表示装置。
【請求項４】
前記表示条件は、表示レート、同時表示枚数および表示終了時刻を含み、
前記設定手段が設定した表示条件が表示レート、同時表示枚数または表示終了時刻のいずれか二つの表示条件である場合、前記表示条件提示手段が提示した他の表示条件は、前記設定手段が設定した二つの表示条件以外の残り一つの表示条件であり、
前記設定手段が設定した表示条件が表示レート、同時表示枚数または表示終了時刻のいずれか一つの表示条件である場合、前記表示条件提示手段が提示した他の複数の表示条件の組み合わせは、前記設定手段が設定した一つの表示条件以外の残り二つの表示条件の組み合わせであることを特徴とする請求項２または３に記載の画像表示装置。
【請求項５】
前記複数の画像は、被検体内部を撮像した画像であることを特徴とする請求項１〜４のいずれか一つに記載の画像表示装置。
【請求項６】
格納された複数の画像を順次表示する画像表示方法において、
前記複数の画像に対する表示条件のうち少なくとも一つの表示条件を設定する設定ステップと、
前記設定ステップにおいて設定された表示条件をもとに少なくとも一つの他の表示条件を提示する表示条件提示ステップと、
前記表示条件提示ステップにおいて提示された前記表示条件を表示手段に表示させる条件表示ステップと、
前記表示条件提示ステップにおいて提示された前記表示条件をもとに前記複数の画像を前記表示手段に表示させる画像表示ステップと、
を含むことを特徴とする画像表示方法。
【請求項７】
前記表示条件提示ステップは、前記設定ステップにおいて設定された表示条件以外の他の表示条件を提示し、または、前記設定ステップにおいて設定された表示条件以外の他の複数の表示条件の組み合わせを提示することを特徴とする請求項６に記載の画像表示方法。
【請求項８】
前記表示条件提示ステップにおいて提示された前記他の表示条件の中から所望の表示条件を選択し、または、前記表示条件提示ステップにおいて提示された前記他の複数の表示条件の組み合わせの中から所望の組み合わせを選択する選択ステップをさらに含み、
前記画像表示ステップは、前記設定ステップにおいて設定された前記表示条件と、前記選択ステップにおいて選択された前記他の表示条件または前記選択ステップにおいて選択された前記組み合わせとにしたがって、前記複数の画像を表示させることを特徴とする請求項７に記載の画像表示方法。
【請求項９】
格納された複数の画像を順次表示する画像表示プログラムにおいて、
前記複数の画像に対する表示条件のうち少なくとも一つの表示条件を設定する設定手順と、
前記設定手順において設定された表示条件をもとに少なくとも一つの他の表示条件を提示する表示条件提示手順と、
前記表示条件提示手順において提示された前記表示条件を表示手段に表示させる条件表示手順と、
前記表示条件提示手順において提示された前記表示条件をもとに前記複数の画像を前記表示手段に表示させる画像表示手順と、
を含むことを特徴とする画像表示プログラム。
【請求項１０】
前記表示条件提示手順は、前記設定手順において設定された表示条件以外の他の表示条件を提示し、または、前記設定手順において設定された表示条件以外の他の複数の表示条件の組み合わせを提示することを特徴とする請求項９に記載の画像表示プログラム。
【請求項１１】
前記表示条件提示手順において提示された前記他の表示条件の中から所望の表示条件を選択し、または、前記表示条件提示手順において提示された前記他の複数の表示条件の組み合わせの中から所望の組み合わせを選択する選択手順をさらに含み、
前記画像表示手順は、前記設定手順において設定された前記表示条件と、前記選択手順において選択された前記他の表示条件または前記選択手順において選択された前記組み合わせとにしたがって、前記複数の画像を表示させることを特徴とする請求項１０に記載の画像表示プログラム。
【発明の詳細な説明】
【技術分野】
【０００１】
この発明は、格納された複数の画像を順次表示する画像表示装置、画像表示方法および画像表示プログラムに関する。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、たとえば、胃、小腸などの臓器の内部をその蠕動運動にしたがって移動し、移動にともない、たとえば０．５秒間隔で被検体内画像の撮像を行う機能を有する。
【０００３】
体腔内を移動する間、カプセル型内視鏡によって撮像された画像データは、順次無線通信により外部に送信された外部に設けられたメモリに蓄積される。無線通信機能とメモリ機能とを備えた受信機を携帯することにより、被検体は、カプセル型内視鏡を飲込んだ後、排出されるまでの間にわたって、自由に行動できる。カプセル型内視鏡が排出された後、医者もしくは看護士においては、メモリに蓄積された画像データに基づいて臓器の画像をディスプレイに表示させて診断を行うことができる（特許文献１参照）。
【０００４】
【特許文献１】特開２００３−１９１１１号公報
【発明の開示】
【発明が解決しようとする課題】
【０００５】
ところで、看護士が撮像画像を確認し診断に必要と考えられる画像を選択した後、医師が、看護士が選択した画像を参考にしながら撮像画像を改めて確認して診断を行う場合がある。しかしながら、従来では、医師もしくは看護士は、ディスプレイの画像表示がいつ終了するかを把握することができず、看護士自身がディスプレイに表示される画像の間引き、早送りなどを行うことによって表示終了時刻を調整していた。このため、画像の見逃しが発生する場合があり、看護士は必要と考えられる画像を選択できない場合があった。また、看護士が必要な画像を全て選択できなかった場合には、医師による診断に支障をきたすという問題があった。特に、カプセル型内視鏡は、通常の内視鏡と異なり被験者が飲込んで自然に排出されるまでの期間、各臓器を撮像するため、観察（検査）時間が長時間に及び、膨大な枚数の画像を撮像する。従来は終了時刻に合わせた画像表示を行うことができなかったため、このような膨大な枚数の画像に対する画像の間引きなどの調整処理は、ユーザにとって大きな負担となっていた。
【０００６】
この発明は、上記した従来技術の欠点に鑑みてなされたものであり、ユーザが設定した表示終了時刻などの表示条件に合わせて、複数の画像を順次表示する画像表示装置、画像表示方法および画像表示プログラムを提供することを目的とする。
【課題を解決するための手段】
【０００７】
上述した課題を解決し、目的を達成するために、この発明にかかる画像表示装置は、格納された複数の画像を順次表示する表示手段を備えた画像表示装置において、前記複数の画像に対する表示条件のうち少なくとも一つの表示条件を設定する設定手段と、前記設定手段が設定した表示条件をもとに少なくとも一つの他の表示条件を提示する表示条件提示手段と、前記表示手段に、前記表示条件提示手段が提示した前記表示条件を表示させるとともに、前記表示条件提示手段が提示した前記表示条件をもとに前記複数の画像を表示させる制御手段と、を備えたことを特徴とする。
【０００８】
また、この発明にかかる画像表示装置は、前記表示条件提示手段は、前記設定手段が設定した表示条件以外の他の表示条件を提示し、または、前記設定手段が設定した表示条件以外の他の複数の表示条件の組み合わせを提示することを特徴とする。
【０００９】
また、この発明にかかる画像表示装置は、前記表示条件提示手段が提示した前記他の表示条件の中から所望の表示条件を選択し、または、前記表示条件提示手段が提示した前記他の複数の表示条件の組み合わせの中から所望の組み合わせを選択する選択手段をさらに備え、前記制御手段は、前記設定手段が設定した前記表示条件と、前記選択手段が選択した表示条件または前記選択手段が選択した組み合わせとにしたがって、前記表示手段に前記複数の画像を表示させることを特徴とする。
【００１０】
また、この発明にかかる画像表示装置は、前記表示条件は、表示レート、同時表示枚数および表示終了時刻を含み、前記設定手段が設定した表示条件が表示レート、同時表示枚数または表示終了時刻のいずれか二つの表示条件である場合、前記表示条件提示手段が提示した他の表示条件は、前記設定手段が設定した二つの表示条件以外の残り一つの表示条件であり、前記設定手段が設定した表示条件が表示レート、同時表示枚数または表示終了時刻のいずれか一つの表示条件である場合、前記表示条件提示手段が提示した他の複数の表示条件の組み合わせは、前記設定手段が設定した一つの表示条件以外の残り二つの表示条件の組み合わせであることを特徴とする。
【００１１】
また、この発明にかかる画像表示装置は、前記複数の画像は、被検体内部を撮像した画像であることを特徴とする。
【００１２】
また、この発明にかかる画像表示方法は、格納された複数の画像を順次表示する画像表示方法において、前記複数の画像に対する表示条件のうち少なくとも一つの表示条件を設定する設定ステップと、前記設定ステップにおいて設定された表示条件をもとに少なくとも一つの他の表示条件を提示する表示条件提示ステップと、前記表示条件提示ステップにおいて提示された前記表示条件を表示手段に表示させる条件表示ステップと、前記表示条件提示ステップにおいて提示された前記表示条件をもとに前記複数の画像を前記表示手段に表示させる画像表示ステップと、を含むことを特徴とする。
【００１３】
また、この発明にかかる画像表示方法は、前記表示条件提示ステップは、前記設定ステップにおいて設定された表示条件以外の他の表示条件を提示し、または、前記設定ステップにおいて設定された表示条件以外の他の複数の表示条件の組み合わせを提示することを特徴とする。
【００１４】
また、この発明にかかる画像表示方法は、前記表示条件提示ステップにおいて提示された前記他の表示条件の中から所望の表示条件を選択し、または、前記表示条件提示ステップにおいて提示された前記他の複数の表示条件の組み合わせの中から所望の組み合わせを選択する選択ステップをさらに含み、前記画像表示ステップは、前記設定ステップにおいて設定された前記表示条件と、前記選択ステップにおいて選択された前記他の表示条件または前記選択ステップにおいて選択された前記組み合わせとにしたがって、前記複数の画像を表示させることを特徴とする。
【００１５】
また、この発明にかかる画像表示プログラムは、格納された複数の画像を順次表示する画像表示プログラムにおいて、前記複数の画像に対する表示条件のうち少なくとも一つの表示条件を設定する設定手順と、前記設定手順において設定された表示条件をもとに少なくとも一つの他の表示条件を提示する表示条件提示手順と、前記表示条件提示手順において提示された前記表示条件を表示手段に表示させる条件表示手順と、前記表示条件提示手順において提示された前記表示条件をもとに前記複数の画像を前記表示手段に表示させる画像表示手順と、を含むことを特徴とする。
【００１６】
また、この発明にかかる画像表示プログラムは、前記表示条件提示手順は、前記設定手順において設定された表示条件以外の他の表示条件を提示し、または、前記設定手順において設定された表示条件以外の他の複数の表示条件の組み合わせを提示することを特徴とする。
【００１７】
また、この発明にかかる画像表示プログラムは、前記表示条件提示手順において提示された前記他の表示条件の中から所望の表示条件を選択し、または、前記表示条件提示手順において提示された前記他の複数の表示条件の組み合わせの中から所望の組み合わせを選択する選択手順をさらに含み、前記画像表示手順は、前記設定手順において設定された前記表示条件と、前記選択手順において選択された前記他の表示条件または前記選択手順において選択された前記組み合わせとにしたがって、前記複数の画像を表示させることを特徴とする。
【発明の効果】
【００１８】
本発明によれば、複数の画像の表示に対する表示条件のうち少なくとも一つの表示条件が設定された場合、設定された表示条件をもとに少なくとも一つの他の表示条件を表示させる。このため、本発明によれば、ユーザは、表示終了時刻などの表示条件を視認することができ、さらに、ユーザ自身が設定した表示条件に対応する他の表示条件を簡易に選択することができ、画像確認時における表示条件調整に対するユーザの負担を低減することができる。
【発明を実施するための最良の形態】
【００１９】
以下、図面を参照して、この発明の実施の形態である画像表示装置について説明する。なお、この実施の形態によりこの発明が限定されるものではない。また、図面の記載において、同一部分には同一の符号を付している。また、本実施の形態にかかる画像表示装置として、カプセル型内視鏡を用いた被検体内情報取得システムにおける画像表示装置を例として説明する。
【００２０】
（実施の形態１）
まず、実施の形態１にかかる画像表示装置について説明する。本実施の形態１にかかる画像表示装置は、表示部に表示される画像の表示レートおよび同時表示枚数をもとに画像表示が終了する表示終了時刻を表示する。
【００２１】
図１は、本実施の形態における被検体内情報取得システムの全体構成を示す模式図である。図１に示すように、本実施の形態における被検体内情報取得システムは、受信機能を有する受信装置２と、被検体１の体内に導入され、体腔内画像を撮像して受信装置２に対してデータ送信を行うカプセル型内視鏡３とを備える。また、被検体内情報取得システムは、受信装置２が受信したデータに基づいて体腔内画像を表示する画像表示装置４と、受信装置２と画像表示装置４との間のデータ受け渡しを行うための携帯型記録媒体５とを備える。受信装置２は、被検体１によって着用される受信ジャケット２ａと、受信ジャケット２ａを介して送受信される無線信号の処理等を行う外部装置２ｂとを備える。
【００２２】
画像表示装置４は、カプセル型内視鏡３によって撮像された体腔内画像を表示するためのものであり、携帯型記録媒体５によって得られるデータに基づいて画像表示を行うワークステーション等を有する。画像表示装置４は、カプセル型内視鏡３が撮像した複数の静止画像を撮像順にしたがって順次表示する。以下、この順次表示された画像を擬似動画像という。また、画像表示装置４は、静止画像を１枚ずつ順次表示するほか、静止画像を複数枚ずつ順次表示してもよい。たとえば、画像表示装置４は、１フレーム目と２フレーム目、３フレーム目と４フレーム目という形式で、静止画像を２枚ずつ順次表示してもよい。このように、画像表示装置４が擬似動画像として同時に表示する画像数を同時表示枚数という。
【００２３】
携帯型記録媒体５は、外部装置２ｂおよび画像表示装置４に対して着脱可能であって、両者に対する挿着時に情報の出力または記録が可能な構造を有する。具体的には、携帯型記録媒体５は、カプセル型内視鏡３が被検体１の体腔内を移動している間は外部装置２ｂに挿着されてカプセル型内視鏡３から送信されるデータを記録する。そして、カプセル型内視鏡３が被検体１から排出された後、つまり、被検体１の内部の撮像が終った後には、外部装置２ｂから取り出されて画像表示装置４に挿着され、画像表示装置４によって記録したデータが読み出される構成を有する。外部装置２ｂと画像表示装置４との間のデータの受け渡しは、コンパクトフラッシュ（登録商標）メモリ等の携帯型記録媒体５によって行う構成をとる以外にも、外部装置２ｂと画像表示装置４との間を有線接続する構成をとることも可能である。
【００２４】
ここで、図２を参照して画像表示装置４について説明する。図２は、図１に示す画像表示装置４の概略構成を示すブロック図である。図２に示すように、画像表示装置４は、入力部２０、表示部３０、記憶部４０、制御部５０を備える。
【００２５】
入力部２０は、キーボードやマウスなどのポインティングデバイスなどによって実現され、画像表示装置４の動作指示および画像表示装置４が行なう処理の指示情報を入力し、各指示情報を制御部５０に送出する。入力部２０は、擬似動画像に対する表示条件のうち少なくとも一つの表示条件を設定する設定手段として機能し、表示部３０における擬似動画像表示に対する表示レート、表示部３０に表示される擬似動画像の同時に表示する枚数を設定する設定情報を入力する。
【００２６】
表示部３０は、ＣＲＴディスプレイ、液晶ディスプレイ等によって実現され、入力部２０の指示情報あるいは指示結果などを表示する。表示部３０は、表示制御部５０によって設定された表示条件にしたがって所定の画像表示領域に擬似動画像を表示する。
【００２７】
記憶部４０は、たとえばハードディスク装置などによって実現される。記憶部４０には、各種画像などが保持される。たとえば、フォルダＦ１，Ｆ２内には、カプセル型内視鏡３によって撮像された画像群Ｐａ，Ｐｂがそれぞれ格納される。
【００２８】
制御部５０は、入力部２０、表示部３０、記憶部４０の各処理または動作を制御する。制御部５０は、表示条件提示部５１と表示制御部５２とを備える。表示条件提示部５１は、表示部３０における擬似画像群の表示条件のうち、デフォルト条件または設定情報をもとに設定された表示レート、同時表示枚数をもとに、残り一つの表示条件である擬似動画像の表示終了時刻を演算し、提示する。表示制御部５２は、表示部３０における表示処理を制御する。表示制御部５２は、入力部２０から入力された設定情報にしたがって、表示部３０に擬似動画像表示を行わせる。また、表示制御部５２は、表示部３０に、表示条件提示部５１が提示した表示終了時刻を所定の時刻表示領域に表示させる。
【００２９】
つぎに、図３を参照して、制御部５０による画像表示処理手順について説明する。図３において、制御部５０は、入力部２０から擬似動画像表示を指示する指示情報があったか否かを判断する（ステップＳ１０２）。制御部５０は、擬似動画像表示を指示する指示情報があるまでステップＳ１０２の判断を繰り返す。制御部５０が擬似動画像表示を指示する指示情報があったと判断した場合（ステップＳ１０２：Ｙｅｓ）、まず、表示制御部５２は、表示対象となる画像のフレーム番号を初期化し、０とし（ステップＳ１０４）、その後、擬似動画像表示を指示された画像群を記憶部４０から読み出す。そして、表示制御部５２は、デフォルトとして設定されている表示レートおよび同時表示枚数を表示条件として設定する（ステップＳ１０５）。
【００３０】
その後、表示条件提示部５１は、擬似動画像表示を指示された画像群の擬似動画像表示が終了する終了時刻を演算し、提示する（ステップＳ１０６）。表示条件提示部５１は、擬似動画像表示を指示された画像群の全フレーム数、デフォルト条件として設定されている表示レートおよび同時表示枚数を用いて、表示終了時刻を演算する。ここで、擬似動画像表示を指示された画像群の全フレーム数、表示レート、同時表示枚数および表示終了時刻は、それぞれ関係づけられている。また、擬似動画像表示を指示された画像群の全フレーム数は、記憶部４０に格納された画像群のうち指示された画像群を読み出す際に確認できる。このため、表示条件提示部５１は、表示レートおよび同時表示枚数が設定されていれば表示終了時刻を演算することができる。その後、表示制御部５２は、表示部３０に対して、表示条件提示部５１が提示した表示終了時刻を所定の時刻表示領域に表示させる（ステップＳ１０８）。したがって、画像表示装置４は、擬似動画像表示の指示があった場合、この擬似動画像の表示が終了する時刻を表示部３０の所定の時刻表示領域に表示することとなる。
【００３１】
表示制御部５２は、表示部３０に擬似動画像表示を行わせる（ステップＳ１１０）。この場合、表示制御部５２は、表示対象となる画像のフレーム番号をもとに次の表示対象画像を、表示部３０の所定の画像表示領域にデフォルト条件として設定されている表示レートおよび同時表示枚数にしたがって表示させる。表示制御部５２は、表示が終了した画像のフレーム番号にデフォルト条件として設定されている同時表示枚数に対応する数値を加算する（ステップＳ１１２）。通常は、表示制御部５２は、１を加算する。
【００３２】
その後、表示制御部５２は、入力部２０から画像表示の終了を指示する指示情報があるか否かを判断し（ステップＳ１１４）、この指示情報があった場合には（ステップＳ１１４：Ｙｅｓ）、表示部３０における画像表示を終了させる。この場合、表示部３０の画像表示領域における擬似動画像表示が終了する。これに対し、表示制御部５２は、入力部から画像表示の終了を指示する指示情報がないと判断した場合（ステップＳ１１４：Ｎｏ）、表示部３０が、読み出した画像群の最終画像まで表示したか否かを判断する（ステップＳ１１６）。表示制御部５２は、表示部３０において読み出した画像群の最終画像まで表示したと判断した場合（ステップＳ１１６：Ｙｅｓ）、表示部３０の画像表示領域における擬似動画像表示を終了させる。
【００３３】
一方、表示制御部５２は、表示部３０において読み出した画像群の最終画像まで表示していないと判断した場合（ステップＳ１１６：Ｎｏ）、入力部２０から入力された設定情報の有無および設定情報の設定内容をもとに、擬似動画像表示の表示条件の変更があるか否かを判断する（ステップＳ１１８）。表示制御部５２は、入力部２０から設定情報が入力されず、擬似動画像表示の表示条件の変更がないと判断した場合（ステップＳ１１８：Ｎｏ）、ステップＳ１１０に進み、表示部３０に擬似動画像の表示を継続させる。
【００３４】
また、表示制御部５２は、入力部２０から設定情報が入力され、擬似動画像表示の表示条件の変更があると判断した場合（ステップＳ１１８：Ｙｅｓ）、ステップＳ１０５に進む。そして、表示制御部５２は、設定情報を参照し、擬似動画像表示の表示条件を設定情報において設定された表示条件に設定する（ステップＳ１０５）。表示条件提示部５１は、設定情報において新たに設定された表示レートおよび同時表示枚数あるいはこの一方を用いて、擬似動画像表示の表示終了時刻を演算し、この表示終了時刻を提示する（ステップＳ１０６）。表示制御部５２は、表示部３０に、表示条件提示部５１が提示した表示終了時刻を所定の時刻表示領域に表示させ（ステップＳ１０８）、設定情報をもとに新たに設定された表示条件にしたがって擬似動画像表示を行わせる（ステップＳ１１０）。したがって、画像表示装置４は、表示条件の変更があった場合、変更した表示条件に基づく表示終了時刻を自動的に表示する。
【００３５】
つぎに、図４を参照して、表示部３０の表示画面上における表示終了時刻の表示処理について説明する。図４は、表示部３０の表示画面の一例を示す図であり、表示部３０の表示画面には、ウィンドウＷが表示される。ウィンドウＷには、大きくは、画像表示領域Ａ１、枚数表示領域Ａ２、レート表示領域Ａ３、時刻表示領域Ａ４および選択画像表示領域Ａ５が設けられる。枚数表示領域Ａ２は、画像表示領域Ａ１の上部に設けられ、レート表示領域Ａ３は、画像表示領域Ａ１の下部に設けられ、時刻表示領域Ａ４は、レート表示領域Ａ３の下部に設けられ、選択画像表示領域Ａ５は、画像表示領域Ａ１の右側領域に設けられ、画像表示領域Ａ１とレート表示領域Ａ３との間には、再生ボタン２４、コマ再生ボタン２５ａ、逆コマ再生ボタン２５ｂ、逆再生ボタン２５ｃなどの動画表示制御ボタンが設けられる。
【００３６】
画像表示領域Ａ１には、擬似動画像表示を指示された擬似動画像が表示される。枚数表示領域Ａ２には、画像表示領域Ａ１に表示できる画像枚数をそれぞれ表示したボタンが表示される。入力部２０のマウスなどの操作により画像枚数を表示するボタンが選択されることによって、入力部２０は、選択されたボタンに表示された数値を同時表示枚数として設定する設定情報を入力する。レート表示領域Ａ３には、画像表示領域Ａ１に表示される画像の表示レートが表示される。このレート表示領域Ａ３に、入力部２０のキーボートの操作による表示レートの直接書き込み、または、入力部２０のマウスの操作による上下ボタンのクリックによって、入力部２０は、レート表示領域Ａ３に表示された数値を表示レートとして設定する設定情報を入力する。時刻表示領域Ａ４は、画像表示領域Ａ１に表示される擬似動画像の終了時刻を表示する。また、選択画像表示領域Ａ５には、画像表示領域Ａ１に表示された画像のうち、ユーザのマウス操作などによって選択された画像の縮小画像が撮像順にしたがって表示される。
【００３７】
たとえば再生ボタン２４をクリックすることによって擬似動画像表示の開始を指示された場合、デフォルト条件にしたがって表示条件提示部５１が演算した表示終了時刻が時刻表示領域Ａ４に表示される。そして、画像表示領域Ａ１における擬似動画像表示が開始した後、ユーザが画像表示領域Ａ１に表示される画像の同時表示枚数を「２」枚から「１」枚に変更したい場合を例として説明する。この場合、ユーザは、枚数表示領域Ａ２の「１」を表示したボタン上にカーソル２３を移動させ、左ボタンをクリックする。この結果、画像表示領域Ａ１の同時表示枚数を「１」枚に設定する設定情報が入力部２０から制御部５０に入力される。表示条件提示部５１は、入力された設定情報を参照し、新たに設定された同時表示枚数「１」を用いて擬似動画像表示の表示終了時刻を演算し、この表示終了時刻を提示する。表示制御部５２は、表示部３０に、表示条件提示部５１が提示した表示終了時刻を時刻表示領域Ａ４に表示させるとともに、新たに設定された同時表示枚数「１」にしたがって画像表示領域に１枚ずつ画像を表示させる。したがって、画像表示装置４は、ユーザが表示条件を変更した場合、変更した表示条件に基づく表示終了時刻を自動的に表示する。
【００３８】
このように、本実施の形態１にかかる画像表示装置４は、擬似動画像表示を開始した際に、この擬似動画像表示が終了する時刻を表示するため、ユーザは、ディスプレイの擬似動画像の表示がいつ終了するかを把握することができる。また、本実施の形態１にかかる画像表示装置は、ユーザが表示条件を変更した場合には、変更した表示条件に基づく画像終了時刻を自動的に表示している。この結果、本実施の形態１によれば、ユーザは、ディスプレイに擬似動画像が表示される間、画像表示の終了時刻を常に視認することができ、画像確認による診断に集中することができる。
【００３９】
（実施の形態２）
つぎに、実施の形態２について説明する。実施の形態２では、擬似動画像表示の終了時刻、表示レート、同時表示枚数およびこれらの組み合わせを表示し、各条件およびこれらの組み合わせをユーザが選択できるようにしている。
【００４０】
図５は、実施の形態２にかかる画像表示装置の概略構成を示すブロック図である。図５に示すように、実施の形態２にかかる画像表示装置２０４は、実施の形態１における制御部５０に代えて、表示条件提示部２５１と表示制御部２５２とを備えた制御部２５０を有する。制御部２５０は、実施の形態１における制御部５０と同等に、入力部２０、表示部３０、記憶部４０の各処理または動作を制御する。ここで、入力部２０は、表示部３０に表示される擬似動画像の表示レート、同時表示枚数、表示終了時刻のいずれかの表示条件のうち、少なくとも一つを設定する設定情報を入力する。
【００４１】
表示条件提示部２５１は、入力部２０が設定した表示条件をもとに入力部２０が設定した表示条件以外の他の表示条件を提示し、または、入力部２０が設定した表示条件をもとに入力部２０が設定した表示条件以外の他の複数の表示条件の組み合わせを提示する。言い換えると、入力部２０が設定した表示条件が表示レート、同時表示枚数または表示終了時刻のいずれか二つの表示条件である場合、表示条件提示部２５１が提示した他の表示条件は、前記設定手段が設定した二つの表示条件以外の残り一つの表示条件であり、入力部２０が設定した表示条件が表示レート、同時表示枚数または表示終了時刻のいずれか一つの表示条件である場合、表示条件提示部２５１が提示した他の複数の表示条件の組み合わせは、入力部２０が設定した一つの表示条件以外の残り二つの表示条件の組み合わせである。
【００４２】
表示制御部２５２は、実施の形態１における表示制御部５２と同様に表示部３０における表示処理を制御するとともに、表示条件提示部２５１が提示した表示条件を提示し、または、表示条件提示部２５１が提示した表示条件の組み合わせを表示部３０に表示させる。入力部２０は、表示条件提示部２５１が提示した表示条件の中から所望の表示条件を選択し、または、表示条件提示部２５１が提示した表示条件の組み合わせの中から所望の組み合わせを選択する選択手段としても機能し、所望の表示条件または所望の組み合わせを選択する選択情報を入力する。表示制御部２５２は、入力部２０が設定した表示条件と、入力部２０が選択した表示条件または入力部２０が選択した組み合わせとにしたがって、表示部３０に擬似動画像を表示させる。
【００４３】
つぎに、図６を参照して、制御部２５０による画像表示処理手順について説明する。まず、制御部２５０は、図３に示すステップＳ１０２およびステップＳ１０４と同様に、擬似動画像表示指示に対する判断処理（ステップＳ２０２）、フレーム番号の初期化処理（ステップＳ２０４）を行う。その後、制御部２５０は、入力部２０からの設定情報の入力があるか否かを判断する（ステップＳ２０６）。
【００４４】
制御部２５０は、設定情報の入力があると判断した場合（ステップＳ２０６：Ｙｅｓ）、表示条件提示部２５１は、この設定情報をもとに、入力部２０が設定した表示条件以外の表示条件を演算、提示し、または、入力部２０が設定した表示条件以外の他の複数の表示条件の組み合わせを演算し、提示する（ステップＳ２０８）。表示制御部２５２は、表示部３０に対して、表示条件提示部２５１が提示した表示条件または組み合わせを所定の条件表示領域に表示させる（ステップＳ２１０）。そして、表示制御部２５２は、入力部２０からの選択情報の入力があるか否かを判断する（ステップＳ２１２）。
【００４５】
表示制御部２５２は、選択情報の入力があると判断した場合（ステップＳ２１２：Ｙｅｓ）、この選択情報および設定情報をもとに、表示部３０における擬似動画像表示の表示条件として、入力部２０が設定した表示条件と入力部２０が選択した表示条件または入力部２０が選択した組み合わせとを設定する（ステップＳ２１４）。表示制御部２５２は、表示部３０に対して、擬似動画像表示の表示条件として設定した表示レート、同時表示枚数および表示終了時刻を表示させる。また、表示制御部２５２は、入力部２０からの選択情報の入力がないと判断した場合には（ステップＳ２１２：Ｎｏ）、ステップＳ２０６に進み、入力部２０からの設定情報の入力があるか否かを判断する。
【００４６】
これに対し、制御部２５０は、入力部２０からの設定情報の入力がないと判断した場合（ステップＳ２０６：Ｎｏ）、表示制御部２５２は、デフォルト条件をもとに表示レートおよび同時表示枚数を設定する（ステップＳ２１４）。また、表示条件提示部２５１は、デフォルト条件である表示レートおよび同時表示枚数を用いて、表示終了時刻を演算し、提示する。表示制御部２５２は、表示部３０に対して、表示条件提示部２５１が提示した表示終了時刻に加え、デフォルト条件である表示レートおよび同時表示枚数を表示させる。
【００４７】
表示制御部２５２は、表示部３０に対して、設定した各表示条件にしたがって擬似動画像を所定の画像表示領域に表示させる（ステップＳ２１６）。その後、図３に示すステップＳ１１４〜ステップＳ１１８と同様に、表示制御部２５２は、フレーム番号の加算処理（ステップＳ２１８）、画像表示終了指示に対する判断処理（ステップＳ２２０）、最終画像表示に対する判断処理（ステップＳ２２２）を行う。
【００４８】
つぎに、表示制御部２５２は、入力部２０からの設定情報の入力があるか否かを判断し（ステップＳ２２４）、表示部３０における擬似動画像表示の表示条件の変更があるか否かを判断する。表示制御部２５２は、設定情報の入力がないと判断した場合には（ステップＳ２２４：Ｎｏ）、表示条件の変更がないため、ステップＳ２１６に進み、表示部３０に対して擬似動画像の表示を継続させる。一方、表示制御部２５２は、設定情報の入力があると判断した場合には（ステップＳ２２４：Ｙｅｓ）、ステップＳ２０８に進み、新たに入力された設定情報をもとに、表示条件提示部２５１による表示条件の提示処理（ステップＳ２０８）、表示制御部２５２による表示条件の表示処理（ステップＳ２１０）を行う。
【００４９】
つぎに、図７および図８を参照して、図６に示す処理手順を説明する。図７および図８は、表示部３０の表示画面の一例を示す図であり、ウィンドウＷには、図３と比較し、設定ボタン２２０が時刻表示領域Ａ４の右側領域にさらに設けられている。また、図７および図８に示すウィンドウＷには、レート表示領域Ａ３が画像表示領域Ａ１の上部に設けられる。ここで、ユーザが設定ボタン２２０をクリックした場合、図７および図８に示すように、表示条件ウィンドウＭが新たに表示される。この表示条件ウィンドウＭには、表示レートの数値が選択指示されるレート選択部２２１、レート選択部２２１の右側に表示レートを固定した演算を選択指示する選択項目２２２が表示される。レート選択部２２１の下部に、同時表示枚数の数値が選択指示される枚数選択部２２３が表示され、枚数選択部２２３の右側に同時表示枚数を固定した演算を選択指示する選択項目２２４が表示される。また、枚数選択部２２３の下部に、表示終了時刻が選択指示される時刻選択部２２５が表示され、時刻選択部２２５の右側に表示終了時刻を固定した演算を選択指示する選択項目２２６が表示される。さらに、時刻選択部２２５の下部に、計算ボタン２２７、ＯＫボタン２２８、キャンセルボタン２２９が表示される。
【００５０】
まず、図７を参照し、ユーザが表示条件のうち表示レートおよび終了予測時間を設定する場合を例に説明する。図７に示すように、再生ボタン２４の選択によって擬似動画像の表示が指示される。そして、ユーザが設定ボタン２２０を選択することによって、表示条件ウィンドウＭが表示される。ユーザは、入力部２０のマウスを操作し、表示条件ウィンドウＭのうち、レート選択部２２１の数値を変更して所望の表示レートに対応する数値「１０」を選択し、選択項目２２２を選択する。また、ユーザは、マウスを操作することによって、時刻選択部２２５の終了時刻を変更して所望の終了時刻「１８時２０分００秒」を選択し、選択項目２２６を選択する。その後、ユーザは、カーソル２３を計算ボタン２２７上に移動させ、左ボタンをクリックする。
【００５１】
この結果、「１０」／秒の表示レートおよび表示終了時刻「１８時２０分００秒」を設定する設定情報が入力部２０から制御部２５０に入力される。表示条件提示部２５１は、この表示レートおよび表示終了時刻をもとに同時表示枚数を演算、提示し、表示制御部２５２は、表示条件提示部２５１が提示した同時表示枚数「２」枚を表示条件ウィンドウＭの枚数選択部２２３に表示させる。ユーザは、枚数選択部２２３に表示された同時表示枚数を選択する場合には、ＯＫボタン２２８上にカーソル２３を移動させ、マウスの左ボタンをクリックすることによって、ＯＫボタン２２８を選択する。この場合、表示条件提示部２５１が提示した同時表示枚数「２」枚を選択する選択情報が入力部２０から制御部２５０に入力される。表示制御部２５２は、表示部３０に、表示レート「１０」／秒、同時表示枚数「２」枚、表示終了時刻「１８時２０分００秒」の表示条件をレート表示領域Ａ３、枚数表示領域Ａ２、時刻表示領域Ａ４に表示させるとともに、表示レート「１０」／秒、同時表示枚数「２」枚、表示終了時刻「１８時２０分００秒」の表示条件にしたがって画像表示領域Ａ１に擬似動画像を表示させる。
【００５２】
一方、ユーザは、枚数選択部２２３に表示された同時表示枚数を選択しない場合には、喜屋キャンセルボタン２２９上にカーソル２３を移動させ、マウスの左ボタンをクリックすることによって、キャンセルボタン２２９を選択する。この場合、入力部２０から制御部２５０に対して選択情報は入力されず、表示条件ウィンドウＭは閉じられる。この場合、表示条件は以前入力したものかデフォルトのものとなる。ユーザは、表示条件ウィンドウＭにおいて、マウスの移動および左クリックを行い、レート選択部２２１の数値と時刻選択部２２５の時刻を変更し、計算ボタン２２７を選択するという一連の動作を繰り返すことによって、所望の表示条件になるまで各表示条件を確認できる。そして、ユーザが、ＯＫボタン２２８を押すことによって、入力部２０から制御部２５０に対して設定情報が再度入力される。表示条件提示部２５１がこの設定情報をもとに同時表示枚数を演算、提示し、表示制御部２５２が表示部３０に表示条件提示部２５１が提示した同時表示枚数を表示させることによって、ユーザが新たに選択した表示レートおよび表示終了時刻に対する同時表示枚数が表示されることとなる。このように、ユーザが、表示条件である表示レート、同時表示枚数および表示終了時刻表示条件のうち二つの表示条件を設定した場合には、この設定した二つの表示条件に応じた残りの表示条件が自動的に表示される。
【００５３】
また、図８を参照し、ユーザが表示条件のうち表示終了時刻を設定する場合を例に説明する。図８に示すように、ユーザは、入力部２０のマウスを操作し、表示条件ウィンドウＭのうち時刻選択部２２５の終了時刻を変更して所望の終了時刻「１８時２０分００秒」を選択し、選択項目２２６を選択する。その後、ユーザは、マウスを動かし、カーソルを計算ボタン２２７上に移動させ左ボタンをクリックする。この結果、表示終了時刻「１８時２０分００秒」を設定する設定情報が入力部２０から制御部２５０に入力される。表示条件提示部２５１は、設定された表示終了時刻「１８時２０分００秒」をもとに表示レートおよび同時表示枚数の組み合わせを提示し、表示制御部２５２は、表示条件提示部２５１が提示した表示レートおよび同時表示枚数の組み合わせを表示させる。
【００５４】
この場合、図９に示すように、表示部３０の表示画面上には組み合わせウィンドウＭａが新たに表示される。組み合わせウィンドウＭａには、表示条件提示部２５１が提示した表示レートおよび同時表示枚数の各組み合わせと、各組み合わせに対応する選択項目２３０ａ，２３０ｂ，２３０ｃが表示される。ユーザは、組み合わせウィンドウＭａにおいて表示された各組み合わせのうち、所望の組み合わせがあった場合には、カーソル２３の移動および左ボタンのクリックによって、所望の組み合わせに対応する選択項目を選択後、ＯＫボタン２２８ａを選択する。たとえば、図８に示すように、ユーザが、「表示レート２０／秒、同時表示枚数２枚」に対応する選択項目２３０ｂを選択した場合には、「表示レート２０／秒、同時表示枚数２枚」を選択する選択情報が入力部２０から制御部２５０に入力される。この結果、表示制御部２５２は、入力部２０から入力された設定情報および選択情報の設定および選択にしたがって、表示レート「２０」／秒、同時表示枚数「２」枚、表示終了時刻「１８時２０分００秒」の表示条件を設定する。そして、表示制御部２５２は、表示レート「２０」／秒、同時表示枚数「２」枚、表示終了時刻「１８時２０分００秒」の表示条件をレート表示領域Ａ３、枚数表示領域Ａ２、時刻表示領域Ａ４に表示させるとともに、表示レート「１０」／秒、同時表示枚数「２」枚、表示終了時刻「１８時２０分００秒」の表示条件にしたがって画像表示領域Ａ１に擬似動画像を表示させる。
【００５５】
一方、ユーザは、組み合わせウィンドウＭａに表示された表示レートと同時表示枚数の組み合わせを選択しない場合には、カーソル２３の移動および左ボタンのクリックによって、キャンセルボタン２２９ａを選択する。この場合、入力部２０から制御部２５０に対して選択情報は入力されず、表示部３０の画面表示上に表示された組み合わせウィンドウＭａは閉じられる。そして、ユーザが、表示条件ウィンドウＭにおいて、カーソル２３の移動および左ボタンのクリック、時刻選択部２２５の時刻変更などを行い、計算ボタン２２７を選択する。この場合、再度入力部２０から制御部２５０に対して設定情報が入力され、ユーザが新たに選択した終了時刻に対する表示レートおよび同時表示枚数の組み合わせが表示する組み合わせウィンドウが表示されることとなる。このように、ユーザが、表示条件である表示レート、同時表示枚数および表示終了時刻表示条件のうち一つの表示条件を設定した場合には、設定した表示条件に応じた残りの表示条件の組み合わせが自動的に表示される。
【００５６】
本実施の形態２にかかる画像表示装置２０４は、設定された表示条件に対応させて、他の表示条件または他の複数の表示条件の組み合わせを表示し、ユーザが各条件およびこれらの組み合わせを簡易に選択できるようにしている。このため、本実施の形態２にかかる画像表示装置によれば、ユーザは、自分が所望する表示レート、同時表示枚数および表示終了時刻のいずれかに対応させて、他の表示条件を調整することが可能となる。特に、ユーザは、画像表示装置２０４に対して表示終了時刻に合わせた画像表示を行わせることができるため、ユーザ自身が画像の間引き、早送りなどの表示方法を選択する必要がなく、画像確認による診断に集中することができる。このように、本実施の形態２にかかる画像表示装置２０４は、画像確認時におけるユーザの表示条件調整の負担を低減することができる。
【００５７】
なお、本実施の形態１，２では、入力部２０が制御部５０，２５０に入力する設定情報として、表示レート、同時表示枚数、表示終了時刻を設定する場合について説明したが、これに限らない。たとえば、入力部２０は、図４、図７および図８に示すように、入力部２０のクリック動作などによって、コマ再生ボタン２５ａ、逆コマ再生ボタン２５ｂまたは逆再生ボタン２５ｃが選択された場合、コマ再生、逆コマ再生または逆再生を指示する設定情報を制御部５０，２５０に入力してもよい。この場合、表示条件提示部５１は、この設定情報を参照し、新たに設定されたコマ再生、逆コマ再生または逆再生などの表示条件にしたがった表示レート、同時表示枚数、表示終了時刻または、これらの組み合わせを演算し、必要に応じてリアルタイムに提示する。たとえば、逆コマ再生を行えば、表示終了時刻は刻々と遅くなるので、これをリアルタイムに表示する。表示制御部５２，２５２は、表示部３０に対して、表示条件提示部５１，２５１が提示した表示レート、同時表示枚数、表示終了時刻または、これらの組み合わせを表示させる。したがって、画像表示装置４，２０４では、コマ再生、逆コマ再生または逆再生を指示する設定情報が入力部２０から入力された場合も、この設定情報に基づく表示レート、同時表示枚数、表示終了時刻または、これらの組み合わせが自動的に表示される。
【００５８】
また、本実施の形態１，２にかかる画像表示装置４，２０４では、デフォルト条件として設定されている表示レートおよび同時表示枚数は、予め設定されていてもよい。また、画像表示装置４，２０４は、各ユーザによる前回の擬似動画像表示時の表示レートおよび同時表示枚数等の表示条件を記憶しておき、各ユーザが画像表示装置４，２０４にログインした場合に、各ユーザによる前回の擬似動画像表示時の表示レートおよび同時表示枚数をデフォルト条件として用いてもよい。
【００５９】
また、本実施の形態１，２における表示条件提示部５１，２５１は、設定された表示条件をもとに他の表示条件あるいは他の表示条件の組み合わせを演算し、提示する場合について説明したが、これに限らず、たとえば、記憶部４０に格納された各種表示条件の組み合わせテーブルを参照して、設定された表示条件に対応する表示条件あるいは表示条件の組み合わせを提示してもよい。たとえば、組み合わせテーブルは、表示レート、同時表示枚数、表示終了時刻の各値の組み合わせを複数有する。表示条件提示部５１は、設定された同時表示枚数、表示レートをもとに、組み合わせテーブル中において、設定された同時表示枚数、表示レートに対応する表示終了時刻、または、設定された同時表示枚数、表示レートに最も近い値を示す同時表示枚数、表示レートに対応する表示終了時刻を提示する。また、表示条件提示部２５１も同様に、組み合わせテーブルを参照して、設定された表示条件に対応する他の表示条件の組み合わせを提示する。
【００６０】
また、本実施の形態１，２にかかる画像表示装置４，２０４では、擬似動画像表示の連続表示時間にあわせて、表示レートが変化するとしてもよい。この表示レートは、人間工学的に設定された所定の関数にしたがって変化する。この場合、画像表示装置４，２０４は、この表示レートの変化を考慮し、表示レート、同時表示枚数、表示終了時刻、または、これらの組み合わせを提示し、表示する。
【００６１】
また、上記実施の形態１，２で説明した画像表示装置４，２０４は、あらかじめ用意されたプログラムをパーソナル・コンピュータやワークステーションなどのコンピュータシステムで実行することによって実現することができる。以下、上記実施の形態で説明した画像表示装置と同様の機能を有する画像表示プログラムを実行するコンピュータシステムについて説明する。
【００６２】
図１０は、上述した実施の形態を用いたコンピュータシステムの構成を示すシステム構成図であり、図１１は、このコンピュータシステムにおける本体部の構成を示すブロック図である。図１０に示すように、本実施の形態１，２にかかるコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００６３】
また、このコンピュータシステム１００における本体部１０１は、図１１に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００６４】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２、プリンタ１１３などが接続される。
【００６５】
そして、このコンピュータシステム１００は、所定の記録媒体に記録された画像表示プログラムを読み出して実行することで画像表示装置を実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能な画像表示プログラムを記録する、あらゆる記録媒体を含むものである。
【００６６】
すなわち、画像表示プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体から画像表示プログラムを読み出して実行することで画像表示装置および画像表示方法を実現する。なお、画像表示プログラムは、コンピュータシステム１００によって実行されることに限定されるものではなく、他のコンピュータシステム１１１またはサーバ１１２が画像表示プログラムを実行する場合や、これらが協働して画像表示プログラムを実行するような場合にも、本発明を同様に適用することができる。
【図面の簡単な説明】
【００６７】
【図１】実施の形態１における被検体内情報取得システムの全体構成を示す模式図である。
【図２】実施の形態１にかかる画像表示装置の概略構成を示すブロック図である。
【図３】図２に示す制御部による画像表示処理手順を示すフローチャートである。
【図４】図２に示す表示部の表示画面の一例を示す図である。
【図５】実施の形態２にかかる画像表示装置の概略構成を示すブロック図である。
【図６】図５に示す制御部による画像表示処理手順を示すフローチャートである。
【図７】図５に示す表示部の表示画面の一例を示す図である。
【図８】図５に示す表示部の表示画面の一例を示す図である。
【図９】図５に示す表示部の表示画面の一例を示す図である。
【図１０】実施の形態１，２を用いたコンピュータシステムの構成を示す構成図である。
【図１１】図１０に示したコンピュータシステムにおける本体部の構成を示すブロック図である。
【符号の説明】
【００６８】
１  被検体
２  受信装置
２ａ  受信ジャケット
２ｂ  外部装置
４，２０４  画像表示装置
５  携帯型記録媒体
２０  入力部
３０  表示部
４０  記憶部
５０，２５０  制御部
５１，２５１  表示条件提示部
５２，２５２  表示制御部
２３  カーソル
２４  再生ボタン
２５ａ  コマ再生ボタン
２５ｂ  逆コマ再生ボタン
２５ｃ  逆再生ボタン
２２０  設定ボタン
２２７  計算ボタン
２２８，２２８ａ  ＯＫボタン
２２９，２２９ａ  キャンセルボタン
１００  コンピュータシステム
１０１  本体部
１０２  ディスプレイ
１０２ａ  表示画面
１０３  キーボード
１０４  マウス
１０５  モデム
１０６  ローカルエリアネットワークまたは広域エリアネットワーク（ＬＡＮ／ＷＡＮ）
１０７  公衆回線
１０８  フレキシブルディスク（ＦＤ）
１０９  ＣＤ−ＲＯＭ
１１１  他のコンピュータシステム（ＰＣ）
１１２  サーバ
１１３  プリンタ
１２１  ＣＰＵ
１２２  ＲＡＭ
１２３  ＲＯＭ
１２４  ハードディスクドライブ（ＨＤＤ）
１２５  ＣＤ−ＲＯＭドライブ
１２６  ＦＤドライブ
１２７  Ｉ／Ｏインターフェース
１２８  ＬＡＮインターフェース
【図１】
2006055430.tif 000003
【図２】
2006055430.tif 000004
【図３】
2006055430.tif 000005
【図４】
2006055430.tif 000006
【図５】
2006055430.tif 000007
【図６】
2006055430.tif 000008
【図７】
2006055430.tif 000009
【図８】
2006055430.tif 000010
【図９】
2006055430.tif 000011
【図１０】
2006055430.tif 000012
【図１１】
2006055430.tif 000013